(57)【要約】      （修正有）【課題】タオルターバンの外周を均一な圧力で頭皮に押圧でき、頭部を前後左右に動かしてもズレたりして隙間を生じさせない、軽量かつ簡便な手順で装着、脱着できる器具を提供する。【解決手段】プラスチック等の素材を用いて頭髪の生え際の形状に相似形の立体的なＵ字形の本体リング１を作る。定型の本体リング１を顔面側からターバン外周に当てがうと、個体差は開口部の幅の違いとなって現れる。幸いな事に襟足部、リング開口部のターバン形状は大小の違いだけで単純な半円形である。リング開口部を収縮用バネ９をターバン外周に沿ってフック留めするだけで大多数のターバン外周を押圧する事が出来る。そのリングを装着安定棒６と３本のポリウレタンコイルで構成される装着用バネで頭部に簡単装着出来る機能を付加すると、軽量で薬品と化学反応を起こさない安全なパーマ用ターバン補助器具となる。【選択図】図１
2008018197.tif 000002
【特許請求の範囲】
【請求項１】
頭部頭髪の生え際外周長に相当する長さと適度な幅を有するプラスチック平板を、顔面部の額の幅相当のＵ字形に曲げる。そのＵ字形Ｒの中央を額の中央とし、Ｕ字形板の片面が、額から耳の下部を通り襟足部位に至り常に頭皮に接する様に凹凸をつけ折り曲げて、頭髪の生え際形状に相当する立体的なＵ字形のリングを形成させる。そのリング状の開口部になる両端には穴を開け、内側面にはスベリ止めの突起物を数ヶ所設け、外側には額中央部位と片方の耳の下部位の２ヶ所にフック受けを付加し、押圧用リングとする。器具として作用させるには装着用バネと収縮用バネを開口部の穴に接続させる。装着用バネとは適度な長さを有し、両端をリング状にした装着安定棒の、一方リングには先端にフックを付けたポリウレタン製コイルを１本、一方にはポリウレタン製コイルを２本接続したものであり、２本のポリウレタンコイルをそれぞれ押圧用リング端の穴に接続しておく。収縮用バネは、フック受けを設けた反対側の穴に、先端にフックを付けたポリウレタン製コイルを接続する。押圧用リングと装着用バネと収縮用バネで構成されたパーマ用ターバン補助器具である。
【請求項２】
請求項１では、本発明品の形状と付加物を説明の為に順次書き示したが、押圧用リングはプラスチック類で一体成型するのが一般的加工法である。素材や製造工程及び形状は前述のものに限定しない。パーマ用ターバン補助器具とは適度に硬質で弾力性を有する押圧用立体的なリングと装着用バネと収縮用バネで構成するものである。
【発明の詳細な説明】
【発明の詳細な説明】
【発明の属する技術的分野】
【０００１】理容室・美容室では、パーマ施術に際して使用した薬液が頭部外に流出するのを防止する為に、布タオルを頭部にターバンする方法が一般的である。本発明品は布タオル特有の欠点を補い安全性を向上させる目的で使用する器具に関するものである。
【背景技術】
【０００２】布タオルが吸水すると自重が増し頭皮との間に隙間を生じさせてしまう欠点を補う為には、今日まで多様な試みがなされてきたが、ゴムバンドを使用する以外に有効な器具的な物は開発されておらず、吸水して用が足りなくなったら乾いたタオルで巻き替えるだけの方法が行われている。【０００３】乾いた布タオルの機能だけに頼らざるを得なかった要因は、一つは頭髪の生え際をターバンするということは、必然的に耳の部位でくの字状に折れ曲がった楕円形に巻きつけなければならない形状と、パーマ施術は長時間を要するので、固定する事が出来ず、又、しめつける作用だけでは不快感を増加させてしまう為である。
【発明の開示】
【発明が解決しようとする課題】
【０００４】解決すべき３つの課題がある。第１に布タオルターバンの外周を均一な力で頭皮に対して押圧する。第２に頭部を前後左右に動かしても、ズレたり隙間を生じさせない。第３にストレスを与えない為には軽量、簡便な器具であることである。
【課題を解決する為の手段】
【０００５】第１の課題には、布タオルを巻き付けるラインに生じる頭部特有な凹凸や、顔面の額から耳の下部を通り襟足に至る形状。額部は幅広いが耳の後部からは首となる為にくびれて細くなる特有の形状を想定し、相似形の立体的なＵ字型リングを作り、それをタオルターバンの外周に当てがう事で、くびれ部位や凹凸部を均一な力で押圧する事が出来た。第２の課題には、硬質の棒状の物を間に介在させた３本のバネで構成される装着用バネで、立体的なＵ字形リングの３ヶ所を硬質な棒状が後頭部に直接当たる箇所を支点にして、全体を３本のバネで支点部に引っ張る作用で解決した。Ｕ字形リングの開口部には収縮用バネを用いて連結してタオルターバン外周全体を押圧する。
第３の課題には、素材にプラスチック類やシリコンゴム類等を使用し、軽量で使用薬品とも化学反応させない安全なパーマ用タオルターバン補助器具とした。
【発明の効果】
【０００６】パーマ施術時に布タオルをターバンするという事は、タオルを適当に折りたたみ、頭髪を巻き付けた棒状のロッドの外周に巻き、合わせた両端をゴムバンドで止めて輪を形成させ、その上で別のゴムバンド等を用いて頭部かロッドかにとにかく引っ掛ける作業を伴う面倒で注意を払う熟練を要する事である。本発明品は、単に巻きつけたタオルターバンの外周に当てがい、器具を構成するフックを所定の箇所にフックさせる単純な手順で、熟練しなくとも薬液流出事故を防止するばかりではなく、隙間を発生させない為にタオルの吸水能力を活用出来る器具である。
【発明を実施する為の最良の形態】
【０００７】以下本発明品の実施の形態を図１と図２に基づいて説明する。
【実施例１】
【０００８】図１で▲１▼本体リングとは、タオル外周を押圧する為に適度な幅を有する立体的なＵ字形リング全体を指し示し、▲２▼接続用穴と▲３▼スベリ防止突起物と▲４▼フック受けを含めてプラスチックで一体成型したもので、装着用バネとは▲６▼装着安定棒と一本の▲７▼フック付ポリウレタンコイルと２本の▲８▼ポリウレタンコイルで構成され全体を指し示し▲９▼収縮用バネとは、適当な長さを有するフック付ポリウレタンコイル単体のものである。本体リングと装着用バネ、収縮用バネとの接続はプラスチック製ダブルリングを介在させて行う。【０００９】▲１▼本体リングの使用素材は、適度な硬さと柔軟性を合わせ持つプラスチック類である。タオルターバンの外周に当てがい装着、脱着時には開口部が相当程度拡げられる柔軟性が必要である。▲２▼の接続用穴とは強度が保てれば、リング状に成型する方が望ましい。▲３▼スベリ防止突起物とは、配置される箇所で、形状が異なる。タオルターバンを保持する為のものと本体リングがバネの力でズリ上がるのを防止する為のものと収縮用バネがズレない為のものとが、本体リングの内側、外側に役割に応じて設けたものの全てを指し示したものである。▲４▼フック受けは本体リングの額中央部位と耳下部位の片方の２ヶ所に設けるが、形状は異なったものである。額中央部フック受けは、ある程度高さが要求される為である。▲１▼本体リングの形状は前述各部の要件を満足させる為、図１で表現しきれない部位に幅や厚み等と細かく想定した凹凸等々を有している。【００１０】▲５▼装着用バネとは１本の▲６▼装着安定棒の両端にリングを設けておき、片方には▲７▼フック付ポリウレタンコイルを他方には▲８▼２本のポリウレタンコイルを接続したものであり、２本の▲８▼の一方は▲１▼の▲２▼接続用穴に接続されている。図２で示す装着に際しては、▲１▼をタオルターバンの外周に当てがった後、▲７▼を持ち▲１▼の額中央部のフック受けにフックさせると、▲６▼装着安定棒が頭髪を巻きつけた複数のロッドに接し、３本のコイルが▲１▼の３ヶ所に作用するものである。【００１１】▲９▼収縮用バネとはフック付ポリウレタンコイルをフック受けが設けてある反対側の▲２▼接続用穴に接続させてあるものである。タオルターバンする頭部周囲には個体差により大きな違いがある。しかし、額から耳の後方までの長さには大した違いがなく、左右するのは首回りの太さの違いである。装着に際しての個体差は▲１▼本体リングの開口部に生じる。リングに押圧されない半円状のタオルターバン部の大小の違いである為、▲９▼をタオルターバンに沿ってフック受けにフックさせるだけで、開口部を収縮させると同時にタオルターバンの外周を押圧する。【００１２】図２は本発明品の装着想定図である。本発明品の画期性を三角錐に例えて説明する。三角錐の三角底辺が楕円形ではあるが▲１▼本体リング部に相当し、頂点部を▲６▼装着安定棒がロッドに接する部位に例えると、３本のバネで▲１▼を引っ張り上げている事になる。つまり、▲６▼装着安定棒が動かない限り、パーマ施術中に頭部を前後左右にある程度動かしても、本発明品で外周を押圧されたタオルターバンは、薬液を吸収し自重を増してもズレ落ちたり、隙間を生じたりしない。
本発明品は簡単な構造ながら、従来のしめつけるのでは無く、適度な圧力でタオルターバンの外周を均一に押圧する発想から出来たパーマ用タオルターバン補助器具である。
【実施例２】
【００１３】実施例１では▲１▼本体リングの素材にプラスチック類を用いたが、ゴム類でもシリコンゴム等、強度、硬度と柔軟性に勝る素材が有る。商品としての生産コストの有利性でプラスチック類が勝るが、高級感や品質、耐久性では劣ってしまう為、ゴム類で一体成型する。又、ポリウレタンコイルは単にポリウレタンコイルお使用するがゴム類等を内在させて、バネとしての引っ張り限界率を高めた物や熱による伸長を防止する様に工夫された物も有る為に、ゴム類も含め化学薬品に反応しない素材のコイルをバネとして使用出来るものとし、素材を限定しないで使用する。
【実施例３】
【００１４】実施例１では▲１▼本体リングのＲ部中央が顔面の額部中央になり、襟足部が開口部となる形態であるが、Ｒ部中央が襟首中央部となり顔面額部が開口部となる形状で、収縮バネを顔面部に有する形状にすると、装着、脱着が安易になった。しかしながら、個体差や使用するタオルの厚さ、折りたたみ具合で、一定の大きさの本体リングでは適用範囲が限られる欠点を有する。大、中、小とかの大きさを変化させた器具とすれば、その大きさに適する頭部に使用する限り、実施例１の形態よりも容易に使用出来たので、立体的Ｕ字形リングを顔面部から当てがう方式に限定されずに実施する場合もある。
【図面の簡単な説明】
【００１５】
【図１】  パーマ用ターバン補助器具構造説明図
【図２】  装着使用想定図
【符号の説明】
【００１６】▲１▼本体リング
▲２▼接続用穴
▲３▼スベリ防止突起物
▲４▼フック受け
▲５▼装着用バネ
▲６▼装着安定棒
▲７▼フック付ポリウレタンコイル
▲８▼ポリウレタンコイル
▲９▼収縮用バネ
【図１】
2008018197.tif 000003
【図２】
2008018197.tif 000004